(57)【要約】【課題】簡単かつ確実に画像データをバックアップできる記録プログラム及び記録装置の提供。【解決手段】記録媒体が装填された時又は定期的に、バックアップ元の第１の保管手段及びバックアップ先の第２の保管手段のデータ構成を比較し、第１の保管手段に記録され第２の保管手段に記録されていない追加対象となる画像データを特定し、必要に応じて、第２の保管手段に記録され第１の保管手段に記録されていない削除対象となる画像データを特定するデータ比較手段１５と、記録手段に、追加対象となる画像データを第２の保管手段に記録させ、必要に応じて、削除対象となる画像データを第２の保管手段から削除させる記録制御手段１７とを備え、ユーザ自らがこれらの保管手段のデータ構成を調べたり、追加又は削除対象となる画像データを特定することなくなり、簡単かつ確実に画像データをバックアップできる。【選択図】図７
2006085419.tif 000002
【特許請求の範囲】
【請求項１】
コンピュータを、
第１の保管手段及び第２の保管手段に記録されている画像データを比較し、前記第１の保管手段に記録され、前記第２の保管手段に記録されていない追加対象となる画像データを特定するデータ比較手段、
記録手段に、少なくとも、前記追加対象となる画像データを前記第２の保管手段に記録させる記録制御手段、として機能させることを特徴とする記録プログラム。
【請求項２】
コンピュータを、
第１の保管手段及び第２の保管手段に記録されている画像データを比較し、前記第１の保管手段に記録され、前記第２の保管手段に記録されていない追加対象となる画像データと、前記第２の保管手段に記録され、前記第１の保管手段に記録されていない削除対象となる画像データとを特定するデータ比較手段、
記録手段に、少なくとも、前記追加対象となる画像データを前記第２の保管手段に記録させ、前記削除対象となる画像データを前記第２の保管手段から削除させる記録制御手段、として機能させることを特徴とする記録プログラム。
【請求項３】
前記第１の保管手段又は前記第２の保管手段の一方は記録媒体であり、前記第１の保管手段又は前記第２の保管手段の他方は前記記録プログラムがインストールされる装置に予め設けられたハードディスクであることを特徴とする請求項１又は２記載の記録プログラム。
【請求項４】
前記第１の保管手段又は前記第２の保管手段の一方が前記記録媒体である場合に前記記録媒体が前記装置に装填された時に、又は、所定の時間間隔毎に、コンピュータを前記データ比較手段及び前記記録制御手段として機能させることを特徴とする請求項１乃至３のいずれか一に記載の記録プログラム。
【請求項５】
第１の保管手段及び第２の保管手段に記録されている画像データを比較し、前記第１の保管手段に記録され、前記第２の保管手段に記録されていない追加対象となる画像データを特定するデータ比較手段と、
記録手段に、少なくとも、前記追加対象となる画像データを前記第２の保管手段に記録させる記録制御手段と、を少なくとも備えることを特徴とする記録装置。
【請求項６】
第１の保管手段及び第２の保管手段に記録されている画像データを比較し、前記第１の保管手段に記録され、前記第２の保管手段に記録されていない追加対象となる画像データと、前記第２の保管手段に記録され、前記第１の保管手段に記録されていない削除対象となる画像データとを特定するデータ比較手段と、
記録手段に、少なくとも、前記追加対象となる画像データを前記第２の保管手段に記録させ、前記削除対象となる画像データを前記第２の保管手段から削除させる記録制御手段と、を少なくとも備えることを特徴とする記録装置。
【請求項７】
前記第１の保管手段又は前記第２の保管手段の一方は記録媒体であり、前記第１の保管手段又は前記第２の保管手段の他方は前記記録装置に予め設けられたハードディスクであることを特徴とする請求項５又は６記載の記録装置。
【請求項８】
前記第１の保管手段又は前記第２の保管手段の一方が前記記録媒体である場合に前記記録媒体が前記記録装置に装填された時に、又は、所定の時間間隔毎に、前記データ比較手段及び前記記録制御手段を機能させることを特徴とする請求項５乃至７のいずれか一に記載の記録装置。
【発明の詳細な説明】
【技術分野】
【０００１】
本発明は、画像データをバックアップするための記録プログラム及び記録装置に関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。
【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１参照）。
【０００４】
また、ネガフィルムから読み取った画像データやデジタルカメラ、メディアから読み取った画像データを単に記録媒体に記録するのではなく、これらの画像データからスライドショーとして表示される動画データを生成し、該動画データからＤＶＤプレーヤやＤＶＤレコーダ、ＨＤＤレコーダ、ゲーム機などの家電機器で再生可能なデータ（以下、家電機器用データと呼ぶ。）を生成し、該データを画像データと共にＣＤ−ＲやＤＶＤ−Ｒなどの記録媒体に書き込むサービスも行われている。
【０００５】
また、読み取った画像データから家電機器用データを生成したり、画像データや家電機器用データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データや生成した家電機器用データをコンピュータ機器のハードディスクや記録媒体に書き込むこともできる。
【０００６】
【特許文献１】特開平１１−８８１７号公報（第３−４頁、第１図）
【発明の開示】
【発明が解決しようとする課題】
【０００７】
上記サービスを利用することにより、ネガフィルムから読み取った画像データやデジタルカメラ、メディアから読み取った画像データをコンピュータ機器のハードディスクや記録媒体に保存することができる。この写真画像を記録した画像データは長期間保存されるべきものであるが、例えばハードディスクが故障して画像データが読み出せなくなってしまったり、記録媒体に傷が入ったり破損するなどによって画像データが読み出せなくなることも考えられる。
【０００８】
そこで、一旦ハードディスクに保存した画像データを更に記録媒体にバックアップしたり、逆に、一旦記録媒体に保存した画像データを更にハードディスクにバックアップするなど、画像データを複数箇所に保存することもできるが、画像データをバックアップするためには、バックアップ元の保管手段やバックアップ先の保管手段にどのような画像データが記録されているかをユーザ自身が調べ、バックアップ先に追加すべき画像データを特定しなければならず複雑な操作が必要となる。また、バックアップ元の保管手段に記録されている画像データとバックアップ先の保管手段に記録されている画像データとは整合していることが好ましく、そのためにはバックアップ先から削除すべき画像データを特定しなければならず更に複雑な操作が必要となる。そのため、画像データを簡単かつ確実にバックアップすることができないという問題があった。
【０００９】
本発明は、上記問題点に鑑みてなされたものであって、その主たる目的は、簡単かつ確実に画像データをバックアップすることができる記録プログラム及び記録装置を提供することにある。
【課題を解決するための手段】
【００１０】
上記目的を達成するため、本発明の記録プログラムは、コンピュータを、第１の保管手段及び第２の保管手段に記録されている画像データを比較し、前記第１の保管手段に記録され、前記第２の保管手段に記録されていない追加対象となる画像データを特定するデータ比較手段、記録手段に、少なくとも、前記追加対象となる画像データを前記第２の保管手段に記録させる記録制御手段、として機能させるものである。
【００１１】
また、本発明の記録プログラムは、コンピュータを、第１の保管手段及び第２の保管手段に記録されている画像データを比較し、前記第１の保管手段に記録され、前記第２の保管手段に記録されていない追加対象となる画像データと、前記第２の保管手段に記録され、前記第１の保管手段に記録されていない削除対象となる画像データとを特定するデータ比較手段、記録手段に、少なくとも、前記追加対象となる画像データを前記第２の保管手段に記録させ、前記削除対象となる画像データを前記第２の保管手段から削除させる記録制御手段、として機能させるものである。
【００１２】
本発明においては、前記第１の保管手段又は前記第２の保管手段の一方は記録媒体であり、前記第１の保管手段又は前記第２の保管手段の他方は前記記録プログラムがインストールされる装置に予め設けられたハードディスクであることが好ましく、前記第１の保管手段又は前記第２の保管手段の一方が前記記録媒体である場合に前記記録媒体が前記装置に装填された時に、又は、所定の時間間隔毎に、コンピュータを前記データ比較手段及び前記記録制御手段として機能させる構成とすることができる。
【００１３】
また、本発明の記録装置は、第１の保管手段及び第２の保管手段に記録されている画像データを比較し、前記第１の保管手段に記録され、前記第２の保管手段に記録されていない追加対象となる画像データを特定するデータ比較手段と、記録手段に、少なくとも、前記追加対象となる画像データを前記第２の保管手段に記録させる記録制御手段と、を少なくとも備えるものである。
【００１４】
また、本発明の記録装置は、第１の保管手段及び第２の保管手段に記録されている画像データを比較し、前記第１の保管手段に記録され、前記第２の保管手段に記録されていない追加対象となる画像データと、前記第２の保管手段に記録され、前記第１の保管手段に記録されていない削除対象となる画像データとを特定するデータ比較手段と、記録手段に、少なくとも、前記追加対象となる画像データを前記第２の保管手段に記録させ、前記削除対象となる画像データを前記第２の保管手段から削除させる記録制御手段と、を少なくとも備えるものである。
【００１５】
このように、本発明によれば、バックアップ元の第１の保管手段及びバックアップ先の第２の保管手段のデータ構成が比較され、追加対象となる画像データや削除対象となる画像データが特定されて第２の保管手段に対して記録／削除が行われるため、ユーザ自らが複雑な操作を行うことなく、簡単かつ確実に画像データをバックアップすることができ、また、２つの保管手段における画像データの整合性を維持することができる。
【発明の効果】
【００１６】
本発明の記録プログラム及び記録装置によれば、下記記載の効果を奏する。
【００１７】
本発明の第１の効果は、簡単かつ確実に画像データをバックアップすることができるということである。
【００１８】
その理由は、記録プログラム又は記録装置は、記録媒体が装填された時又は定期的に、バックアップ元の第１の保管手段及びバックアップ先の第２の保管手段に記録されている画像データのデータ構成を比較し、第１の保管手段に記録され、第２の保管手段に記録されていない追加対象となる画像データを特定して第２の保管手段に記録する制御を行うため、ユーザ自らがこれらの保管手段にどのような画像データが記録されているかを調べたり、追加対象となる画像データを特定するなどの操作を行わなくても必要な画像データを自動的に追加することができるからである。
【００１９】
また、本発明の第２の効果は、２つの保管手段における画像データの整合性を維持することができるということである。
【００２０】
その理由は、記録プログラム又は記録装置は、第２の保管手段に記録され、第１の保管手段に記録されていない削除対象となる画像データを特定して第２の保管手段から削除する制御を行うため、ユーザ自らがこれらの保管手段にどのようなデータが記録されているかを調べたり、削除対象となる画像データを特定するなどの操作を行わなくても不要な画像データを自動的に削除することができるからである。
【発明を実施するための最良の形態】
【００２１】
本発明に係る記録プログラムは、その好ましい一実施の形態において、コンピュータを、記録媒体が装填された時又は定期的に、バックアップ元の第１の保管手段及びバックアップ先の第２の保管手段に記録されている画像データのデータ構成を比較し、第１の保管手段に記録され、第２の保管手段に記録されていない追加対象となる画像データを特定し、更に必要に応じて、第２の保管手段に記録され、第１の保管手段に記録されていない削除対象となる画像データを特定するデータ比較手段、記録手段に、追加対象となる画像データを第２の保管手段に記録させ、更に必要に応じて、削除対象となる画像データを第２の保管手段から削除させる記録制御手段、として機能させる。これにより、ユーザ自らがこれらの保管手段にどのようなデータが記録されているかを調べたり、追加又は削除対象となる画像データを特定したり、画像データの記録や削除を行う必要がなくなり、簡単かつ確実に画像データをバックアップすることができる。以下、上記実施形態について詳細に説明すべく、第１の実施例では、コンピュータ機器のハードディスクに保存された画像データを記録媒体にバックアップする場合について、第２の実施例では、記録媒体に保存された画像データをコンピュータ機器のハードディスクにバックアップする場合について、図面を参照して説明する。
【実施例１】
【００２２】
まず、本発明の第１の実施例に係る記録プログラム及び記録装置について、図１乃至図１５を参照して説明する。図１は、第１の実施例に係る記録装置の構成を模式的に示す図であり、図２乃至図６は、そのバリエーションを示す図である。また、図７は、記録装置の機能を示すブロック図であり、図８は、画像データをハードディスクに保存する手順を示すフローチャート図、図９は、画像データを記録媒体にバックアップする手順を示すフローチャート図である。また、図１０は、ハードディスクにおけるデータの記録構造を示す図であり、図１１及び図１２は、記録媒体におけるデータの記録構造を示す図である。また、図１３は記録媒体におけるデータの記録領域を示す図であり、図１４は、記録媒体（ＣＤ−Ｒ）の構造を模式的に示す図、図１５は、記録装置の表示手段に表示される画面の構成例を示す図である。
【００２３】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１１を介してサーバ１２に接続するネットワーク接続部、画像データを保存する内蔵又は外付けハードディスク１０、記録媒体９を装填する記録媒体装填部４、ボタン、キーボード、マウス等の操作手段６及びＬＣＤ、ＣＲＴ等の表示手段５などを備えている。
【００２４】
また、記録装置１に備える主な手段をブロック図で示すと図７のようになり、メディア装填部２や機器接続部３、ネットワーク接続部などを用いて画像データ（静止画像データ、動画データ、画像情報を含むデータを総称して画像データと呼ぶ。）を読み取るデータ読み取り手段１３と、読み取った画像データを保存するハードディスク１０などのバックアップ元の第１の保管手段１４と、第１の保管手段１４及び記録媒体装填部４に装填された記録媒体９（第２の保管手段）に記録されている画像データのデータ構成を比較し、ハードディスク１０に記録され記録媒体９に記録されていない追加対象となる画像データや、記録媒体９に記録されハードディスク１０に記録されていない削除対象となる画像データを特定するデータ比較手段１５と、画像データに基づいて特定のファイル形式（例えば、ＭＰＥＧ１形式又はＭＰＥＧ２形式）の動画データを生成し、該動画データに基づいて家電機器で利用可能なファイル形式（例えば、Ｖｉｄｅｏ−ＣＤ形式、ＤＶＤ−Ｖｉｄｅｏ形式、ＨＤＴＶ形式など）のデータ（家電機器用データ）を生成するデータ生成手段１６と、記録媒体装填部４などの記録手段に、追加対象となる画像データを記録媒体９に記録させる制御や、削除対象となる画像データを記録媒体９から削除させる制御を行う記録制御手段１７と、スライドショーの表示などを行う表示手段５と、画像データや音楽データの選択などを行う操作手段６とを備えている。
【００２５】
なお、上記各手段は記録装置１にハードウェアとして構成されていてもよいし、コンピュータを、少なくとも、データ比較手段１５、記録制御手段１７として機能させる記録プログラムとして構成し、該記録プログラムを記録装置１にインストールして実行する構成とすることができる。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、図６に示すように、ハードディスク１０を備えた端末と画像データの読み取りや書き込みを行う本体とが分離可能な携帯機器としたり、演算処理機能を備えたカーナビゲーション機器などとすることもできる。
【００２６】
以下、第１の保管手段１４（ハードディスク１０）に保存された画像データを第２の保管手段（記録媒体９）にバックアップする手順について説明するが、その前に、メディア８やデジタルカメラ７などに記録された画像データを第１の保管手段１４に保存する手順について、図８のフローチャート図を参照して説明する。なお、以下のステップで表示される画面は例示であり、必要に応じて構成を変更したり省略することもできる。
【００２７】
まず、本実施例の記録装置１を起動すると、表示手段５にメニュー画面が表示され、ステップＳ１０１で、画像データの保管を指示すると、表示手段５に第１の保管手段１４に各種データを記録するまでの手順が表示された画面や画像データの読み取り先を選択する画面が表示される。そして、所望の読み取り先を選択すると、表示手段５に、例えばメディア８をメディア装填部２に装填、又はデジタルカメラ７を機器接続部３に接続するように促すメッセージが表示される。
【００２８】
次に、ステップＳ１０２で、メッセージの指示に従って、例えば記録装置１のメディア装填部２にメディア８を装填、又は機器接続部３にデジタルカメラ７を接続すると、ステップＳ１０３で、データ読み取り手段１３は、メディア８やデジタルカメラ７などに記録された画像データを読み取る。ここで、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１２などであってもよい。
【００２９】
そして、画像データの読み取りが終了すると、表示手段５に、例えば図１５に示すような画像選択画面１９が表示される。この画像選択画面１９には、読み取った画像データに基づく画像を一覧表示する一覧表示欄２０と、その中から選択した画像を拡大表示する拡大表示欄２１と、作業を選択する作業メニュー欄２２とが設けられており、ステップＳ１０４で、一覧表示欄２０で選択した画像を拡大表示欄２１で回転するなどして画像データを選択した後、必要に応じて、作業メニュー欄２２を操作して所定の画面を表示させ、画像の順番を変えたり、タイトルを入力したり、フォトフレームを作成したり、画像に文字を合成させたり、ＢＧＭとして再生する音楽データを選択したり、スライドショーの確認などの処理を行う。
【００３０】
次に、ステップＳ１０５で、必要に応じて、データ生成手段１６を用いて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができるが、縮小画像データを有効に利用するためには記録装置１の表示手段５の解像度以上の画素数、又は、サービス版程度の写真プリントを作成できる画素数を備えていることが好ましい。
【００３１】
次に、ステップＳ１０６で、必要に応じて、データ生成手段１６を用いて、読み取った画像データや生成した縮小画像データなどに関連する情報（例えば、これらの画像データが記録される場所を示すパス名やこれらの画像データが格納されるフォルダの名称、これらの画像データに付与されるファイル名など）が記述された情報ファイルを作成する。この情報ファイルの形式は任意であり、後述するデータ比較手段１５が利用可能であればよく、例えば、テキスト形式のファイルとしてもよいし、写真業界で推奨されている専用のファイル（ｐｖｍ形式のファイル）としてもよいし、メタデータなどとしてもよい。
【００３２】
次に、作業メニュー欄２２の”データを書き込む”を選択すると、記録制御手段１７は、ハードディスク１０などの第１の保管手段１４に、読み取った画像データや、必要に応じて生成した縮小画像データ、情報ファイルなどを記録する。
【００３３】
上記手順で各種データが記録されたハードディスク１０のディレクトリ構造は、例えば、図１０に示すようになり、ハードディスク１０の任意の場所に画像データの格納場所を示すフォルダ（PS_Rollフォルダ）が生成され、その中に、画像データや縮小画像データ、情報ファイル（index.pvm）などが格納される。なお、画像データのディレクトリ構造やファイル名は任意であるが、画像データを記録媒体９などにバックアップした場合における管理を容易にするために、例えば、図１０に示すように、画像データの格納場所を示すフォルダ（PS_Roll）の下位の階層にメディア８毎、機器毎、フィルム毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。
【００３４】
次に、上記手順でハードディスク１０などの第１の保管手段１４に保存された画像データを記録媒体９などの第２の保管手段にバックアップする手順について、図９のフローチャート図を参照して説明する。
【００３５】
まず、本実施例の記録装置１を起動すると、表示手段５にメニュー画面が表示され、ステップＳ２０１で、画像データのバックアップを指示すると、表示手段５に記録媒体９を記録媒体装填部４に装填するように促すメッセージが表示され、ステップＳ２０２で、該メッセージに従って記録装置１の記録媒体装填部４に画像データのバックアップ先となる第２の保管手段（ここでは記録媒体９）を装填する。
【００３６】
なお、ここではユーザがバックアップを指示すると以下の処理が実行される構成としているが、記録媒体装填部４に記録媒体９を装填したら自動的に以下の処理が実行される構成としてもよいし、予め定められた時間間隔毎（例えば、１週間毎など）に記録プログラムが起動し、装填されている記録媒体９に対して自動的に画像データのバックアップを行うようにしてもよいし、記録媒体９が装填されていない場合は画像データをバックアップする記録媒体９の装填を促すメッセージを表示手段５に表示するようにしてもよい。また、この記録媒体９として、バックアップを繰り返し行うこと前提とする場合には追記可能なＣＤ−ＲＷやＤＶＤ±ＲＷ、ＤＶＤ−ＲＡＭ、Ｂｌｕ−ｒａｙディスクなどを用いる必要があるが、未使用の記録媒体９に対して１回だけ画像データを記録する場合はＣＤ−ＲやＤＶＤ−Ｒなどの追記ができない記録媒体９を用いてもよい。
【００３７】
この記録媒体９として市販されている任意の記録媒体を用いることができるが、特定の記録媒体９に対してのみデータのバックアップが行われるようにしてもよい。その場合は、ステップＳ２０３で記録媒体９の所定の領域に記録媒体９を識別するための識別情報が記録されているか否かに基づいて記録媒体９を特定することができる。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータをバックアップするために設けるものであり、識別情報の保管手段や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３８】
ここで、一般的な記録媒体９の構造について、図１４を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３９】
次に、ステップＳ２０４で、データ比較手段１５は、ハードディスク１０内に記録されている画像データを検索すると共に、記録媒体９内に記録されている画像データを検索し、両者のデータ構成を比較する。その際、ハードディスク１０内に記録されている全ての画像データを検索の対象とすることもできるが、本発明は図８のフローに従って保存された画像データのバックアップを目的としているため、ハードディスク１０内の所定のフォルダ（PS_Rollフォルダ）内に記録されている画像データや、更に記録媒体９に設けられたフォルダ（ROYYMMDDyyy_XXXXXXAABxxxフォルダ）と同じ名称のフォルダ内に記録されている画像データのみを検索の対象にすることが好ましい。また、元となる画像データのみを検索の対象としてもよいし、更に縮小画像データなどを検索の対象としてもよい。
【００４０】
なお、画像データの検索方法は特に限定されず、例えば、windows（登録商標）のエクスプローラのような機能を用いてハードディスク１０内のデータ構成を調べて、その中から所定の画像データ（例えば、ファイル名がCCYYMMDDxxxxxxで構成される画像データ）を検索してもよいし、ハードディスク１０に上述した情報ファイル（index.pvm）が記録されている場合は、情報ファイルに記述されたパス名やフォルダ名、ファイル名などを参照して対象となる画像データを検索してもよい。また、画像データを比較する際に、ファイル名が同じ画像データは同一の画像データと判別してもよいし、更にヘッダ情報などを参照して作成年月日やデータ本体の構成などが同じ画像データを同一の画像データとして判別してもよい。
【００４１】
そして、ハードディスク１０には記録されているが記録媒体９には記録されていない画像データ（すなわち追加対象となる画像データ）や、必要に応じて、記録媒体９には記録されているがハードディスク１０には記録されていない画像データ（すなわち、データ構成の整合性を維持するための削除対象となる画像データ）を特定する。例えば、記録媒体９に画像データが全く記録されていない場合は、ハードディスク１０のPS_Rollフォルダ内、又はROYYMMDDyyy_XXXXXXAABxxxフォルダ内に記録された全ての画像データ（OR0304160000001.jpg〜OR0304160000004.jpg、必要に応じてTHMフォルダ及びSCREENフォルダ内の縮小画像データ）を追加対象として特定し、記録媒体９に図１１に示すようなデータ構成で画像データが記録されている場合は、OR0304160000003.jpg及びR0304160000004.jpgやこれらの画像データに対応するTHMフォルダの縮小画像データ、SCREENフォルダ内の全ての縮小画像データを追加対象として特定し、必要に応じて、OR0304160000010.jpg及びR0304160000011.jpgを削除対象として特定する。
【００４２】
次に、画像データに基づく画像をスライドショーとして表示させるための家電機器用データを生成する場合は、ステップＳ２０５で、必要に応じて、データ生成手段１６を用いて、新たな構成（記録媒体９に予め記録された画像データに追加対象となる画像データを追加し、必要に応じて削除対象となる画像データを除外した構成）の画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。
【００４３】
次に、ステップＳ２０６で、必要に応じて、新たな構成の画像データや縮小画像データに関連する情報（パス名やフォルダ名、ファイル名など）が記述された情報ファイルを作成する。この情報ファイルの形式は任意であり、例えば、テキスト形式のファイルとしてもよいし、写真業界で推奨されている専用のファイル（ｐｖｍ形式のファイル）としてもよいし、メタデータなどとしてもよい。
【００４４】
次に、記録媒体９に元の画像データや縮小画像データ、家電機器用データ、情報ファイルなどを記録するが、家電機器ではデータを読み込むことができる記録領域が限定されるため、家電機器用データを記録する場合は、ステップＳ２０７で、記録制御手段１７を用いて、生成した家電機器用データを記録媒体９の論理アドレス領域の内周側の領域に記録する。その際、記録媒体９に予め画像データが記録されている場合は、家電機器用データを最内周の領域に記録することができないため、該画像データを一旦記録装置１のＲＡＭなどの一時記憶手段に待避させて記録媒体９から画像データを削除した後、家電機器用データを書き込み、その後必要な画像データを書き込めばよい。なお、上記論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ）情報の領域は含まない領域である。
【００４５】
次に、ステップＳ２０８で、記録制御手段１７を用いて、追加対象となる画像データや縮小画像データを記録媒体９に記録し、必要に応じて削除対象となる画像データを記録媒体９から削除する。また、必要に応じて、スライドショープログラムなどのアプリケーション、スライドショーの設定ファイル、情報ファイル、自動起動ファイルなどを記録して一連のバックアップ処理を終了する。
【００４６】
上記手順で作成された記録媒体９は、例えば、図１３に示すように各種データが記録され、ディスク型記録媒体９の最内周の論理アドレス領域外（上記論理アドレス領域以外の領域であって論理アドレス領域よりも内周側に位置する領域）には必要に応じて所定の識別情報が記録され、その外周に位置する論理アドレス領域の内周側の領域には必要に応じて家電機器用データが記録され、更に家電機器用データの外周側の領域には第１の保管手段（ハードディスク１０）と同様の構成の画像データや縮小画像データを含むコンピュータ機器用データが記録される。
【００４７】
また、上記手順で作成された記録媒体９のディレクトリ構造は、例えば、図１２（ａ）に示すようになり、”PS_Roll”フォルダ内に格納された、ハードディスク１０と同様の構成の画像データや縮小画像データ、”APPL”フォルダ内に格納されたスライドショープログラムやスライドショーの再生指示情報（Slidesetting.ini）、画像データに関する各種情報が記述された情報ファイル（index.pvm）や自動起動ファイル（Autrun.inf）などでコンピュータ機器用データが構成され、必要に応じて、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成される。また、家電機器用データとしてＤＶＤ−Ｖｉｄｅｏ形式のデータを生成した場合は、図１２（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）とで家電機器用データが構成される。
【００４８】
このように、本実施例によれば、記録媒体９が装填された時又は予め定められた時間間隔で、ハードディスク１０などの第１の保管手段１４及び記録媒体９などの第２の保存場所のデータ構成が比較されて、ハードディスク１０には記録されているが記録媒体９には記録されていない画像データを記録媒体９に追加したり、必要に応じて記録媒体９には記録されているがハードディスク１０には記録されていない画像データを記録媒体９から削除する制御が行われるため、ユーザ自らがハードディスク１０や記録媒体９のデータ構成を調べなくても、簡単かつ確実に画像データをバックアップすることができる。
【実施例２】
【００４９】
次に、本発明の第２の実施例に係る記録プログラム及び記録装置について、図１６乃至図２１を参照して説明する。図１６は、第２の実施例に係る記録装置の構成を模式的に示す図であり、図１７は、画像データを記録媒体に記録する手順を示すフローチャート図、図１８は、画像データをハードディスクにバックアップする手順を示すフローチャート図である。また、図１９は、記録媒体におけるデータの記録構造を示す図であり、図２０及び図２１は、ハードディスクにおけるデータの記録構造を示す図である。
【００５０】
前記した第１の実施例では、デジタルカメラ７などで撮影して得られた画像データを記録装置１のハードディスク１０などの第１の保管手段１４に保管し、保管された画像データを記録媒体９などの第２の保管手段にバックアップする場合について説明したが、ユーザによっては撮影して得られた画像データを記録媒体に保存しておき、その画像データをハードディスクにバックアップする場合もある。そこで本実施例では、バックアップ元の第１の保管手段を記録媒体、バックアップ先の第２の保管手段をハードディスクとする場合について説明する。
【００５１】
図１６に示すように、本実施例のシステムは、メディア８を装填するメディア装填部２、デジタルカメラ７等の撮影機器を有線又は無線、赤外線等によって接続するための機器接続部３、インターネット等の通信ネットワーク１１を介してサーバ１２に接続するネットワーク接続部、第１の保管手段となる記録媒体９を装填する記録媒体装填部４、ボタン、キーボード、マウス等の操作手段６及びＬＣＤ、ＣＲＴ等の表示手段５などを備える記録装置１と、記録媒体９を装填する記録媒体装填部２４、表示手段２５、操作手段２６、画像データをバックアップする第２の保管手段となる内蔵又は外付けハードディスク２７などを備えた記録装置２３とを含む。
【００５２】
なお、図１６では説明を容易にするために記録装置１と記録装置２３とを別の装置としているが、これらは１つの装置としてもよい。また、データ比較手段１５や記録制御手段１７は装置（記録装置２３又は記録装置１）内にハードウェアとして構成されていてもよいし、コンピュータをデータ比較手段１５、記録制御手段１７として機能させる記録プログラムとして構成し、該記録プログラムを装置（記録装置２３又は記録装置１）にインストールして実行する構成としてもよい。
【００５３】
以下に、メディア８やデジタルカメラ７などに記録された画像データを記録媒体９に記録する手順について、図１７のフローチャート図を参照して説明する。
【００５４】
まず、本実施例の記録装置１を起動すると、表示手段５にメニュー画面が表示され、ステップＳ３０１で、画像データの保管を指示すると、表示手段５に記録媒体９に各種データを記録するまでの手順が表示された画面や画像データの読み取り先を選択する画面が表示される。そして、所望の読み取り先を選択すると、表示手段５に、例えばメディア８をメディア装填部２に装填、又はデジタルカメラ７を機器接続部３に接続するように促すメッセージが表示される。
【００５５】
次に、ステップＳ３０２で、メッセージの指示に従って、例えば記録装置１のメディア装填部２にメディア８を装填、又は機器接続部３にデジタルカメラ７を接続すると、ステップＳ３０３で、データ読み取り手段１３は、メディア８やデジタルカメラ７などに記録された画像データを読み取る。なお、本実施例においても、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１２などであってもよい。
【００５６】
そして、画像データの読み取りが終了すると、表示手段５に、例えば図１５に示すような画像選択画面１９が表示され、ステップＳ３０４で、画像データを選択した後、必要に応じて、作業メニュー欄２２を操作して所定の画面を表示させ、画像の順番を変えたり、タイトルを入力したり、フォトフレームを作成したり、画像に文字を合成させたり、ＢＧＭとして再生する音楽データを選択したり、スライドショーの確認などの処理を行う。
【００５７】
次に、ステップＳ３０５で、必要に応じて、データ生成手段１６を用いて、読み取った画像データに基づいて動画データを生成し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成する。
【００５８】
次に、ステップＳ３０６で、必要に応じて、データ生成手段１６を用いて、読み取った画像データのデータサイズを縮小したサムネイル画像データやスクリーンネイル画像データなどの縮小画像データを作成する。
【００５９】
次に、ステップＳ３０７で、必要に応じて、読み取った画像データや生成した縮小画像データなどに関連する情報（例えば、パス名やフォルダ名、ファイル名など）が記述された情報ファイルを作成する。この情報ファイルの形式は任意であり、テキスト形式のファイルとしてもよいし、写真業界で推奨されている専用のファイル（ｐｖｍ形式のファイル）としてもよいし、メタデータなどとしてもよい。
【００６０】
次に、作業メニュー欄２２の”メディアに書き込む”を選択すると、表示手段５に記録媒体９を記録媒体装填部４に装填するように促すメッセージが表示され、ステップＳ３０８で、該メッセージに従って記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。なお、本実施例の場合は記録媒体９には繰り返し画像データを記録する必要はないため、記録媒体９は追記可能な記録媒体である必要はない。
【００６１】
次に、特定の記録媒体９に対してのみデータの記録を行う場合は、ステップＳ３０９で記録媒体９の所定の領域に記録媒体９を識別するための識別情報が記録されているか否かを調べる。この識別情報の内容は限定されず、第１の実施例と同様に、製造者コードやタイプコードなどとすることができ、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００６２】
次に、記録媒体９に読み取った画像データや生成した家電機器用データを記録するが、家電機器ではデータを読み込むことができる記録領域が限定されるため、ステップＳ３１０で、必要に応じて、記録制御手段１７を用いて、生成した家電機器用データを記録媒体９の論理アドレス領域の内周側に記録した後、ステップＳ３１１で、記録制御手段１７を用いて、読み取った画像データや、必要に応じて縮小画像データ、スライドショープログラムなどのアプリケーション、スライドショーの設定ファイル、情報ファイル、自動起動ファイルなどを先に記録された家電機器用データの外周側に記録して一連の書き込み処理を終了する。
【００６３】
上記手順で作成された記録媒体９のディレクトリ構造は、例えば、図１９（ａ）に示すようになり、”PS_Roll”フォルダ内に格納された画像データや縮小画像データ、”APPL”フォルダ内に格納されたスライドショープログラムやスライドショーの再生指示情報、情報ファイルや自動起動ファイルなどでコンピュータ機器用データが構成され、また、”VCD”フォルダ、”SEGMENT”フォルダ、”MPEGAV”フォルダ、”DAT”フォルダ内の各種データで家電機器用データが構成される。また、家電機器用データとしてＤＶＤ−Ｖｉｄｅｏ形式のデータを生成した場合は、図１９（ｂ）に示すように、”VIDEO_TS”フォルダ内のビデオマネージャ（ＶＭＧ）とビデオタイトルセット（ＶＴＳ）とで家電機器用データが構成される。なお、本実施例においても、画像データの格納場所を示すフォルダ（PS_Roll）の下位の階層にメディア８毎、機器毎、フィルム毎のデータの格納場所を示すフォルダ（ROYYMMDDyyy_XXXXXXAABxxx）などを作成したり、各々のデータをCCYYMMDDxxxxxxなどにリネームしてもよい。
【００６４】
次に、上記手順で記録媒体９などの第１の保管手段に保存された画像データをハードディスク２７などの第２の保管手段にバックアップする手順について、図１８のフローチャート図を参照して説明する。
【００６５】
まず、本実施例の記録装置２３を起動すると、表示手段２５にメニュー画面が表示され、ステップＳ４０１で、画像データのバックアップを指示し、ステップＳ４０２で、記録媒体装填部２４に上記フローで画像データが記録された記録媒体９を装填する。なお、本実施例においても、ユーザがバックアップを指示すると以下の処理が実行される構成としているが、記録媒体装填部２４に記録媒体９を装填したら自動的に以下の処理が実行される構成としてもよいし、予め定められた時間間隔毎（例えば、１週間毎など）に記録プログラムが起動し、装填されている記録媒体９に対して自動的に画像データのバックアップを行うようにしてもよいし、記録媒体９が装填されていない場合は画像データのバックアップの元となる記録媒体９の装填を促すメッセージを表示手段２５に表示するようにしてもよい。
【００６６】
次に、ステップＳ４０３で、必要に応じて、記録媒体９の所定の領域に記録媒体９を識別するための識別情報が記録されているか否かに基づいて記録媒体９を特定した後、ステップＳ４０４で、データ比較手段１５は、所定の検索機能を用いて又は情報ファイルに記述されたパス名やフォルダ名、ファイル名などを参照して、記録媒体９内に記録された画像データを検索すると共に、ハードディスク２７内に記録されている画像データを検索し、両者のデータ構成を比較する。その際、本実施例においても、ハードディスク２７内の所定のフォルダ（PS_Rollフォルダ）内に記録されている画像データや、更に記録媒体９に設けられたフォルダ（ROYYMMDDyyy_XXXXXXAABxxxフォルダ）と同じ名称のフォルダ内に記録されている画像データのみを検索の対象にすることが好ましく、また、縮小画像データなどを検索の対象としてもよい。また、画像データの比較の際にファイル名のみで同一性を判断してもよいし、更にヘッダ情報などを参照して作成年月日やデータ本体の構成も加味して同一性を判断してもよい。
【００６７】
そして、記録媒体９には記録されているがハードディスク２７には記録されていない画像データ（すなわち追加対象となる画像データ）や、必要に応じて、ハードディスク２７に記録されているが記録媒体９には記録されていない画像データ（すなわち、削除対象となる画像データ）を特定する。例えば、ハードディスク２７に画像データが全く記録されていない場合は、記録媒体９のPS_Rollフォルダ内、又はROYYMMDDyyy_XXXXXXAABxxxフォルダ内に記録された全ての画像データ（OR0304160000001.jpg〜OR0304160000004.jpg、必要に応じてTHMフォルダ及びSCREENフォルダ内の縮小画像データ）を追加対象として特定し、ハードディスク２７に図２０に示すようなデータ構成で画像データが記録されている場合は、OR0304160000003.jpg及びR0304160000004.jpgやこれらの画像データに対応するTHMフォルダの縮小画像データ、SCREENフォルダ内の全ての縮小画像データを追加対象として特定し、必要に応じて、OR0304160000010.jpg及びR0304160000011.jpgを削除対象として特定する。
【００６８】
次に、ステップＳ４０５で、必要に応じて、データ生成手段１６を用いて、新たな構成の画像データや縮小画像データに関連する情報（パス名やフォルダ名、ファイル名など）が記述された情報ファイルを作成する。
【００６９】
次に、ステップＳ４０６で、記録制御手段１７を用いて、追加対象となる画像データや縮小画像データ、情報ファイルなどをハードディスク２７に記録し、必要に応じて削除対象となる画像データをハードディスク２７から削除して一連のバックアップ処理を終了する。
【００７０】
上記手順で画像データが記録されたハードディスク２７のディレクトリ構造は、例えば、図２１に示すようになり、”PS_Roll”フォルダ内に、記録媒体９と同様の構成の画像データや縮小画像データ、情報ファイルなどが格納される。
【００７１】
このように、本実施例によれば、記録媒体９が装填された時又は予め定められた時間間隔で、記録媒体９などの第１の保管手段及びハードディスク２７などの第２の保存場所のデータ構成が比較されて、記録媒体９には記録されているがハードディスク２７には記録されていない画像データをハードディスク２７に追加したり、ハードディスク２７には記録されているが記録媒体９には記録されていない画像データをハードディスク２７から削除する制御が行われるため、ユーザ自らがハードディスク２７や記録媒体９のデータ構成を調べなくても、簡単かつ確実に画像データをバックアップすることができる。
【００７２】
なお、第１の実施例では読み取った画像データをハードディスク１０に保管し、保管された画像データを記録媒体９にバックアップする場合について記載し、第２の実施例では読み取った画像データを記録媒体９に保管し、保管された画像データをハードディスク２７にバックアップする場合について記載したが、読み取った画像データを一旦記録媒体に記録し、記録された画像データをハードディスクに保管し、更に保管された画像データを上記記録媒体又は他の保管手段にバックアップするなど、第１の実施例と第２の実施例とを組み合わせることもできる。また、上記各実施例では、画像データのみをバックアップする場合について示したが、本発明は上記実施例に限定されるものではなく、画像データ以外のデータをバックアップする場合も同様に適用することができ、例えば、音楽付きスライドショーや音楽付き動画を再生するために音楽データを用いる場合は、この音楽データも画像データと共にバックアップすることもできる。
【図面の簡単な説明】
【００７３】
【図１】本発明の第１の実施例に係る記録装置の構成を模式的に示す図である。
【図２】本発明の第１の実施例に係る記録装置のバリエーションを示す図である。
【図３】本発明の第１の実施例に係る記録装置のバリエーションを示す図である。
【図４】本発明の第１の実施例に係る記録装置のバリエーションを示す図である。
【図５】本発明の第１の実施例に係る記録装置のバリエーションを示す図である。
【図６】本発明の第１の実施例に係る記録装置のバリエーションを示す図である。
【図７】本発明の第１の実施例に係る記録装置の機能を示すブロック図である。
【図８】本発明の第１の実施例に係る画像データの保管手順を示すフローチャート図である。
【図９】本発明の第１の実施例に係る画像データのバックアップの手順を示すフローチャート図である。
【図１０】ハードディスク等のバックアップ元における画像データの記録構造を示す図である。
【図１１】記録媒体等のバックアップ先における画像データの記録構造を示す図である。
【図１２】記録媒体等のバックアップ先における画像データの記録構造を示す図である。
【図１３】記録媒体等における画像データの記録領域を示す図である。
【図１４】記録媒体（ＣＤ−Ｒ）の構造を模式的に示す図である。
【図１５】本発明の第１の実施例に係る記録装置の表示手段に表示される画面例（画像選択画面）を示す図である。
【図１６】本発明の第２の実施例に係る記録装置の構成を模式的に示す図である。
【図１７】本発明の第２の実施例に係る画像データの保管手順を示すフローチャート図である。
【図１８】本発明の第２の実施例に係る画像データのバックアップの手順を示すフローチャート図である。
【図１９】記録媒体等のバックアップ元における画像データの記録構造を示す図である。
【図２０】ハードディスク等のバックアップ先における画像データの記録構造を示す図である。
【図２１】ハードディスク等のバックアップ先における画像データの記録構造を示す図である。
【符号の説明】
【００７４】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  ハードディスク
１１  通信ネットワーク
１２  サーバ
１３  データ読み取り手段
１４  第１の保管手段
１５  データ比較手段
１６  データ生成手段
１７  記録制御手段
１９  画像選択画面
２０  一覧表示欄
２１  拡大表示欄
２２  作業メニュー欄
２３  記録装置
２４  記録媒体装填部
２５  表示手段
２６  操作手段
２７  ハードディスク
１００  ポリカーボネート基板
１０１  有機色素層
１０２  反射層
１０３  保護層
【図１】
2006085419.tif 000003
【図２】
2006085419.tif 000004
【図３】
2006085419.tif 000005
【図４】
2006085419.tif 000006
【図５】
2006085419.tif 000007
【図６】
2006085419.tif 000008
【図７】
2006085419.tif 000009
【図８】
2006085419.tif 000010
【図９】
2006085419.tif 000011
【図１０】
2006085419.tif 000012
【図１１】
2006085419.tif 000013
【図１２】
2006085419.tif 000014
【図１３】
2006085419.tif 000015
【図１４】
2006085419.tif 000016
【図１５】
2006085419.tif 000017
【図１６】
2006085419.tif 000018
【図１７】
2006085419.tif 000019
【図１８】
2006085419.tif 000020
【図１９】
2006085419.tif 000021
【図２０】
2006085419.tif 000022
【図２１】
2006085419.tif 000023